(57)【要約】【課題】  放送コンテンツを２つの異なるコンテンツ保護方式で、サイマル方式で保護しているとき、受信装置がどちらの方式で処理しているかを知ることができるようにする。【解決手段】  コンテンツがスクランブルされ、このスクランブルされたコンテンツのデスクランブルするための鍵情報が２つの異なるコンテンツ保護方式で放送により配信される。２つのコンテンツ保護方式の一方から前記鍵情報を取得する。スクランブルされたコンテンツを前記鍵情報を用いてデスクランブルする。２つのコンテンツ保護方式のうち、どちらのコンテンツ保護方式を利用しているかを示す信号を出力する。【選択図】      図１
2006129243.tif 000002
【特許請求の範囲】
【請求項１】
コンテンツがスクランブルされ、このスクランブルされたコンテンツのデスクランブルするための鍵情報が２つの異なるコンテンツ保護方式で放送により配信されるデジタル放送を受信するデジタル放送受信装置において、
デジタル放送信号から所望の番組を選局する選局手段と、
前記選局手段により選局されたデジタル信号から、前記２つのコンテンツ保護方式の一方の前記鍵情報を取得する鍵情報取得手段と、
前記デジタル信号に含まれている前記スクランブルされたコンテンツを前記鍵情報を用いてデスクランブルするデスクランブル手段と、
前記デスクランブル手段がどちらのコンテンツ保護方式の前記鍵情報を用いてデスクランブルしているかを示す信号を出力する出力手段とを備えたことを特徴とするデジタル放送受信装置。
【請求項２】
前記２つのコンテンツ保護方式として、第１のコンテンツ保護方式は着脱可能なモジュールにより前記鍵情報取得手段が実装される方式であり、第２のコンテンツ保護方式は着脱可能なモジュールによらずに前記鍵情報取得手段が実装される方式であることを特徴とする請求項１記載のデジタル放送受信装置。
【請求項３】
コンテンツがスクランブルされ、このスクランブルされたコンテンツのデスクランブルするための鍵情報が、第１および前記第１とは異なる第２のコンテンツ保護方式で共に放送により配信されるデジタル放送を受信するデジタル放送受信装置において、
デジタル放送信号から所望の番組を選局する選局手段と、
第１のコンテンツ保護方式用の着脱可能なセキュリティモジュールを利用して、前記選局手段により選局されたデジタル信号から前記鍵情報を取得する第１の鍵取得手段と、
前記第１とは異なる第２のコンテンツ保護方式としてソフトウェアを実行することにより前記鍵情報を取得する第２の鍵取得手段と、
前記デジタル信号に含まれている前記スクランブルされたコンテンツを前記鍵情報を用いてデスクランブルするデスクランブル手段と、
前記第２の鍵取得手段が前記鍵情報を取得できない場合、前記第１のコンテンツ保護方式のセキュリティモジュール接続を促すための信号を出力する出力手段とを備えたことを特徴とするデジタル放送受信装置。
【請求項４】
前記メッセージ出力手段は、チャンネル選局時に前記第２の鍵取得手段が前記鍵情報を取得できない場合、前記第１のコンテンツ保護方式のセキュリティモジュール接続を促すためのメッセージを出力することを特徴とする請求項３記載のデジタル放送受信装置。
【請求項５】
更に、現在設置されている場所で受信可能な全チャンネルをサーチする初期スキャンを実行する初期スキャン実行手段を有し、
前記出力手段は、前記初期スキャンの実行開始から所定時間内に前記第２の鍵取得手段が前記鍵情報を取得できない場合、前記着脱可能なセキュリティモジュールを接続することを促すための信号を出力することを特徴とする請求項３記載のデジタル放送受信装置。
【請求項６】
更に、前記出力手段から出力された信号を表示する表示手段を備えたことを特徴とする請求項１乃至５のいずれか１項に記載のデジタル放送受信装置。
【請求項７】
コンテンツがスクランブルされ、このスクランブルされたコンテンツのデスクランブルするための鍵情報が２つの異なるコンテンツ保護方式で放送により配信されるデジタル放送を受信するデジタル放送受信方法において、
デジタル放送信号から所望の番組を選局し、
この選局されたデジタル信号から、前記２つのコンテンツ保護方式の一方の前記鍵情報を取得し、
前記デジタル信号に含まれている前記スクランブルされたコンテンツを前記鍵情報を用いてデスクランブルし、
前記デスクランブルがどちらのコンテンツ保護方式の前記鍵情報を用いてデスクランブルしているかを示す信号を出力する出力することを特徴とするデジタル放送受信方法。
【請求項８】
コンテンツがスクランブルされ、このスクランブルされたコンテンツのデスクランブルするための鍵情報が、第１および前記第１とは異なる第２のコンテンツ保護方式で共に放送により配信されるデジタル放送を受信するデジタル放送受信方法において、
デジタル放送信号から所望の番組を選局し、
第１の鍵取得手段により、第１のコンテンツ保護方式用の着脱可能なセキュリティモジュールを利用して、前記選局手段により選局されたデジタル信号から前記鍵情報を取得し、
第２の鍵取得手段により、前記第１とは異なる第２のコンテンツ保護方式としてソフトウェアを実行することにより前記鍵情報を取得し、
前記デジタル信号に含まれている前記スクランブルされたコンテンツを前記鍵情報を用いてデスクランブルし、
前記第２の鍵取得手段が前記鍵情報を取得できない場合、前記第１のコンテンツ保護方式のセキュリティモジュール接続を促すための信号を出力する出力手段とを備えたことを特徴とするデジタル放送受信方法。
【発明の詳細な説明】
【技術分野】
【０００１】
この発明は受信装置に関し、特にデジタル放送を受信するデジタル放送受信装置および方法に関する。
【背景技術】
【０００２】
近年、通信衛星や放送衛星を用いた衛星デジタル放送や地上波デジタル放送が行われている。
衛星デジタル放送では有料放送が行われており、チャンネル単位、番組単位、時間単位など様々な方法で視聴制御を可能にする限定受信システムが運用されている（例えば、特許文献１参照）。この限定受信システムでは、利用者の契約状態等に応じた個別契約情報を受信装置に伝送し、受信装置や受信装置に挿入して用いるＩＣカードに設定する。以下、ＩＣカード等のセキュリティモジュールに設定する場合も含めて受信装置に設定すると説明する。
【０００３】
各受信装置に伝送する個別の視聴契約情報はＥＭＭ（Entitlement Management Message）データと呼ばれている。
ＥＭＭデータには受信装置固有のＩＤ(Identification)番号が付加されている。
ＥＭＭデータは、受信装置固有のＩＤ毎にユニークなマスタ鍵（Ｋｍ）により暗号化された後、放送信号に多重されて放送局側のセンタ装置から各受信装置へ伝送される。
【０００４】
また、映像、音声、データ等のコンテンツは、スクランブル鍵（Ｋｓ）によりスクランブル化された後、放送信号に多重されて放送局側のセンタ装置から各受信装置へ伝送される。
【０００５】
スクランブル鍵（Ｋｓ）はＥＭＭデータの一部として伝送されるワーク鍵（Ｋｗ）によって暗号化された後、ＥＣＭ（Entitlement Control Message）として放送信号に多重されて放送局側のセンタ装置から各受信装置へ伝送される。
【０００６】
一方、無料放送ではアナログ放送の頃から一般的にノンスクランブルで放送され、誰もが視聴できる形態で運用されていた。しかし、現在日本では放送衛星によるデジタル放送では、コンテンツの著作権を保護するため、無料で視聴できる放送であっても有料放送と同様にスクランブル処理してから、コンテンツにはコピーが一回だけ許可されるコピー・アット・ワンスの制限が付けられてから放送されている。この際の視聴制御は有料放送で運用している限定受信システムを利用しており、無料番組用としてワーク鍵を設定することで実現している。
【０００７】
現在の地上デジタル放送を受信する受信装置ではＩＣカード等のセキュリティモジュールを用いてコンテンツ保護を行っている。しかし、新たに専用のコンテンツ保護方式に切り替えていくことが検討されている。この新たなコンテンツ保護方式では、放送受信アプリケーションの一部処理機能としてソフトウェアとして受信装置にコンテンツ保護機能を組み込むことを想定したものとなっている。よって、この新たなコンテンツ保護方式では、受信装置はＩＣカード等のセキュリティモジュールを必要としない。
【０００８】
この新たなコンテンツ保護方式に切り替えていく場合でも、既に運用されているＩＣカード等のセキュリティモジュールを用いた限定受信システムと整合させるため、例えば一定期間は両方式も利用できるように放送するサイマル運用することが想定される。
【特許文献１】特開平４−１３８７３５号公報
【発明の開示】
【発明が解決しようとする課題】
【０００９】
このようにサイマル運用が行われる場合、両方の方式に対応した受信装置において、現在どちらの方式で処理しているかを知ることができないという問題があった。
また、また必要な鍵情報が未取得等の状況により、一方の方式で視聴できないような場合に他方の方式で視聴するための準備を行うように指示する表示を行うことができないという問題があった。
【００１０】
この発明は、両方の方式に対応した受信装置において、現在どちらの方式で処理しているかを知ることができる受信装置を提供することを目的とする。
また、この発明は、両方の方式に対応した受信装置において、一方の方式で視聴できないような場合に他方の方式で視聴するための準備を行うように指示する表示を行うことができる受信装置を提供することを目的とする。
【課題を解決するための手段】
【００１１】
上記の目的を達成するために、この発明においては、コンテンツがスクランブルされ、このスクランブルされたコンテンツのデスクランブルするための鍵情報が２つの異なるコンテンツ保護方式で放送により配信されるデジタル放送を受信するデジタル放送受信装置において、
【００１２】
デジタル放送信号から所望の番組を選局する選局手段と、
前記選局手段により選局されたデジタル信号から、前記２つのコンテンツ保護方式の一方の前記鍵情報を取得する鍵情報取得手段と、
前記デジタル信号に含まれている前記スクランブルされたコンテンツを前記鍵情報を用いてデスクランブルするデスクランブル手段と、
前記デスクランブル手段がどちらのコンテンツ保護方式の前記鍵情報を用いてデスクランブルしているかを示す信号を出力する出力手段とを備えたことを特徴とするデジタル放送受信装置を提供する。
【００１３】
また、上記の目的を達成するために、この発明においては、コンテンツがスクランブルされ、このスクランブルされたコンテンツのデスクランブルするための鍵情報が、第１および前記第１とは異なる第２のコンテンツ保護方式で共に放送により配信されるデジタル放送を受信するデジタル放送受信装置において、デジタル放送信号から所望の番組を選局する選局手段と、第１のコンテンツ保護方式用の着脱可能なセキュリティモジュールを利用して、前記選局手段により選局されたデジタル信号から前記鍵情報を取得する第１の鍵取得手段と、前記第１とは異なる第２のコンテンツ保護方式としてソフトウェアを実行することにより前記鍵情報を取得する第２の鍵取得手段と、前記デジタル信号に含まれている前記スクランブルされたコンテンツを前記鍵情報を用いてデスクランブルするデスクランブル手段と、前記第２の鍵取得手段が前記鍵情報を取得できない場合、前記第１のコンテンツ保護方式のセキュリティモジュール接続を促すための信号を出力する出力手段とを備えたことを特徴とするデジタル放送受信装置を提供する。
また、これらの方法を提供する。
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【００１４】
本発明は、放送コンテンツを２つの異なるコンテンツ保護方式で、サイマル方式で保護しているとき、受信装置がどちらの方式で処理しているかを知ることができる。これにより、例えばメンテナンスの容易性を高めることが可能となる。
【発明を実施するための最良の形態】
【００１５】
以下、図面を参照しながら本発明の実施の形態について説明する。
（第１の実施形態）
図１は、本発明の第１の実施形態に係るデジタル放送受信装置の構成を示すブロック図である。
図１において、デジタル放送受信装置１０１は、チューナ部１０２、デスクランブラ１０３、ＴＳデコード部１０４、映像音声デコード部１０５、表示処理部１０６、制御部１０７、キー入力部１０８、外部表示部１１７、コンテンツ保護方式Ａ用のコンテンツ保護モジュール１１１Ａ、コンテンツ保護方式Ｂ用のコンテンツ保護モジュール１１１Ｂから構成されている。
【００１６】
コンテンツ保護方式Ａ用のコンテンツ保護モジュール１１１Ａは、コンテンツ保護制御部１１２Ａ、コンテンツ保護メモリ部１１３Ａから構成されている。
コンテンツ保護方式Ｂ用のコンテンツ保護モジュール１１１Ｂは、コンテンツ保護制御部１１２Ｂ、コンテンツ保護メモリ部１１３Ｂから構成されている。
チューナ部１０２は、デジタル放送受信装置１０１に入力された放送波から所望のチャンネルを選局し、この選局したチャンネルのトランスポートストリーム（以下、ＴＳと記す）をデスクランブラ１０３へ出力する。ＴＳはコンテンツ保護のためにスクランブルされている。
【００１７】
デスクランブラ１０３は、チューナ部１０２から入力されたＴＳをデスクランブルしてＴＳデコード部１０４へ出力する。
ＴＳデコード部１０４は、デスクランブラ１０３から入力されたＴＳから必要なパケットを分離し、この分離したパケットから更に、放送番組信号（映像、音声）の抽出や各種多重データ（各種ＳＩ（Service Information）データやＥＣＭ，ＥＭＭ等）を分離する。
【００１８】
ＴＳデコード部１０４は、分離した放送番組信号（映像、音声）は映像音声デコード部１０５に出力する。
表示処理部１０６は、ＴＳデコード部１０４から入力された放送番組信号（映像、音声）のデコードを行い、図示しない外部のモニタに出力し表示・音声再生させる。
【００１９】
また、表示処理部１０６は、ＴＳデコード部１０４で分離されたＳＩデータから構成されたＥＰＧ画面を表示や、各種エラー情報の表示等ユーザとのインターフェース機能を果たす機能についても備えている。
【００２０】
キー入力部１０８は、リモコン（リモートコントローラ）１０９等のユーザインターフェース機器からの赤外線等による遠隔操作信号を受信する機能を有している。
外部表示部１１７は、デジタル放送受信装置に実装された例えばＬＥＤや液晶等であり、デジタル放送受信装置内部の情報をユーザに通知するインターフェース機能を有している。
【００２１】
制御部１０７は、上記した各機能を制御する機能を有しており、バス接続やシリアル通信接続等で各機能をコントロールする。
（コンテンツ保護方式Ａ）
コンテンツ保護方式Ａ用のコンテンツ保護モジュール１１１Ａは、限定受信方式で課金制御やコンテンツ保護制御を行う機能を有している。より具体的には、このコンテンツ保護モジュール１１１Ａは、ＩＣカードのようなリムーバブルのセキュリティモジュールであり、コンテンツ保護制御部１１２Ａ、コンテンツ保護メモリ部１１３Ａから構成されている。
【００２２】
制御部１０７とコンテンツ保護モジュール１１１Ａのインターフェースは、ＩＳＯ規格であるＩＳＯ７８１６に準拠したＩＣカードインターフェースで接続されている。
【００２３】
ＴＳデコード部１０４は、コンテンツ保護方式ＡのＥＭＭやＥＣＭを制御部１０７からのコマンドによりＴＳから分離する。制御部１０７は、この分離されたコンテンツ保護方式ＡのＥＭＭやＥＣＭをコンテンツ保護制御部１１２Ａへ出力する。
【００２４】
コンテンツ保護制御部１１２Ａは、制御部１０７から入力されたコンテンツ保護方式ＡのＥＣＭを、コンテンツ保護メモリ部１１３Ａに格納されているワーク鍵（Ｋｗ）で復号し、視聴可能か否かを判定し、この視聴判定結果を制御部１０７へ出力する。このワーク鍵（Ｋｗ）はコンテンツ保護制御部１１２Ａに事前に設定される場合とＥＭＭが入力された際にそのＥＭＭに記述されているワーク鍵（Ｋｗ）をコンテンツ保護メモリ部１１３Ａに格納する場合がある。また、コンテンツ保護制御部１１２Ａは、視聴判定結果が視聴可能の場合には、更にスクランブル鍵（Ｋｓ）を制御部１０７へ出力する。
【００２５】
制御部１０７が、このスクランブル鍵（Ｋｓ）をデスクランブラ１０３にセットすることにより、コンテンツのデスクランブルが行われて視聴可能な状態となる。
（コンテンツ保護方式Ｂ）
また、コンテンツ保護方式Ｂ用のコンテンツ保護モジュール１１１Ｂは、限定受信方式でコンテンツ保護制御を行う機能を有している。なお、コンテンツ保護モジュール１１１Ｂは、更に課金制御を行う機能を有していてもよい。より具体的には、このコンテンツ保護モジュール１１１Ｂは、例えばデジタル放送受信装置１０１を制御するソフトウェアの一部として機能し、コンテンツ保護制御部１１２Ｂ、コンテンツ保護メモリ部１１３Ｂの機能ブロックから構成されている。コンテンツ保護メモリ部１１３Ｂの機能は、コンテンツ保護を行うための鍵情報等を格納する。コンテンツ保護制御部１１２Ｂの機能は、ＥＣＭ、ＥＭＭの復号や視聴の判定を行う。
【００２６】
このコンテンツ保護モジュール１１１Ｂは、典型的には、デジタル放送受信装置１０１で実行されるソフトウェアにより実現される。この場合のソフトウェアは、プログラムやデータを含み、コンピュータのハードウェアを物理的に活用することで本発明の作用効果を実現するものであり、従来技術を適用可能な部分には好適な従来技術が適用される。さらに、本発明を実現するハードウェアやソフトウェアの具体的な種類や構成、ソフトウェアで処理する範囲などは自由に変更可能である。図１のコンテンツ保護モジュール１１１Ｂは、機能をブロック化して図示した仮想的機能ブロック図を用いている。
【００２７】
ＴＳデコード部１０４は、コンテンツ保護方式ＢのＥＭＭやＥＣＭは制御部１０７からのコマンドによりＴＳから分離する。ＴＳデコード部１０４は、この分離されたコンテンツ保護方式ＢのＥＭＭやＥＣＭをコンテンツ保護方式モジュール１１１Ｂに送る。
【００２８】
コンテンツ保護方式モジュール１１１Ｂは、制御部１０７から入力されたデータがＥＭＭであれば、コンテンツ保護メモリ部１１３Ｂに格納されているＥＭＭ復号鍵で復号し、ＥＭＭに含まれるＥＣＭ復号鍵をコンテンツ保護メモリ部１１３Ｂに格納する。
【００２９】
また、コンテンツ保護方式モジュール１１１Ｂは、制御部１０７から入力されたデータがＥＣＭであれば、コンテンツ保護メモリ部１１３Ｂに格納されているＥＣＭ復号鍵で復号することにより視聴可能か否かを判定し、この視聴判定結果を制御部１０７へ出力する。このときコンテンツ保護方式モジュール１１１Ｂは、視聴判定結果が視聴可能の場合には、更にＥＣＭから取り出したスクランブル鍵（Ｋｓ）を制御部１０７へ出力する。
【００３０】
制御部１０７は、コンテンツ保護方式モジュール１１１Ｂから入力されたスクランブル鍵（Ｋｓ）をデスクランブラ１０３にセットすることにより、コンテンツのデスクランブルが行われて視聴可能な状態となる。
【００３１】
以下、このようにＡとＢの２つのコンテンツ保護方式を実装するデジタル放送受信装置１０１の制御部１０７の動作について説明する。
制御部１０７は、有料番組を選局した場合、有料番組の課金制御としてコンテンツ保護方式モジュール１１１Ａを利用するためにコンテンツ保護方式モジュール１１１Ａを利用するように制御する。また、制御部１０７は、無料番組を選局した場合、コンテンツ保護方式モジュール１１１Ｂを優先して利用するように制御する。
【００３２】
なお、ここでいう制御部１０７による「利用」とは、実際にコンテンツ保護方式モジュールを機能させ、デジタル放送受信装置１０１の出力端子から外部のモニタや記録機器等へ出力している方を「利用」しているとする。例えば、デジタル放送受信装置１０１は、常時２つのコンテンツ保護方式モジュールを同時に機能させておき、有料放送であればコンテンツ保護方式モジュール１１１Ａ、反対に無料放送であればコンテンツ保護方式モジュール１１１Ｂの出力を選択して利用してもよい。
【００３３】
本発明におけるデジタル放送受信装置１０１は、何らかの不具合が発生した場合等にサービスマンやユーザ等がメンテナンスを行う際に、どちらのコンテンツ保護方式モジュールを現在利用しているかを通知するための機能を備えている。この機能は、制御部１０７が図２のフローチャートに示すようにデジタル放送受信装置１０１を制御することにより実現する。
【００３４】
図２において、制御部１０７は、方式表示指示を受けたか否かを判定する（ステップＳ２０１）。
制御部１０７は、方式表示指示を受けた場合、現在、利用しているコンテンツ保護方式モジュールの方式を通知するための表示を行うよう制御する（ステップＳ２０２）。
【００３５】
例えば、制御部１０７は、外部のモニタを用いてサービスマンやユーザ等に通知する場合、例えば図３に示すような映像信号を出力するよう表示処理部１０６を制御し、これによりどちらのコンテンツ保護方式モジュールを現在利用しているかを通知する。このような映像信号を出力は、従来から知られているＯＳＤ（オンスクリーンディスプレイ）表示機能により実現される。
【００３６】
また例えば、制御部１０７は、外部表示部１１７を用いてサービスマンやユーザ等に通知する場合、外部表示部１１７を制御し、これにより現在どちらのコンテンツ保護方式モジュールを現在利用しているかを通知する。例えば、図４に示すように外部表示部１１７は、液晶パネル１１７ａやＬＥＤ１１７ｂ等で構成されており、液晶パネル１１７ａへの文字や記号等での表示や、ＬＥＤ１１７ｂへの点灯・点滅・点滅速度変更等の制御により、現在どちらのコンテンツ保護方式モジュールを現在利用しているかを通知する。
【００３７】
なお、通知の方法としては映像やＬＥＤ等による通知の他、音声の再生により通知してもよい。
この結果、サービスマンやユーザから、現在利用している方式の表示指示があると、現在制御部１０７が利用している方式を表示することにより通知を行うことができる。
【００３８】
（第２の実施形態）
次に、本発明の第２の実施形態について説明する。
以下、第２の実施形態の構成は第１の実施形態と同じであるため説明を省略し、第１の実施形態と異なる部分についてのみ説明をする。
この第２の実施形態におけるデジタル放送受信装置１０１は、あるコンテンツが一方の方式で視聴不可の場合に、他方の方式で視聴判定させるための通知を行うための機能を備えている。この機能は、制御部１０７が図５のフローチャートに示すようにデジタル放送受信装置１０１を制御することにより実現する。
【００３９】
図５は、あるチャンネルを選局したときのデジタル放送受信装置１０１の動作を説明するためのフローチャートである。
なお、デジタル放送受信装置１０１は、無料番組を選局した場合、第１の実施形態と同様に、基本的にコンテンツ保護方式モジュール１１１Ｂを優先して利用する。
コンテンツ保護方式Ａでは、コンテンツ保護モジュール１１１Ａとして、ＩＣカードのようなリムーバブルのセキュリティモジュールを使用している。
また、コンテンツ保護方式Ｂでは、コンテンツ保護モジュール１１１Ｂとして、デジタル放送受信装置１０１で実行されるソフトウェアにより実現される。
ユーザがあるチャンネルを選局すると（ステップＳ５０１）、制御部１０７は、まず方式Ｂでの視聴判定を行う（ステップＳ５０２）。ステップＳ５０２において、方式Ｂでは有効な鍵情報が取得できない等の要因により視聴できない場合（ステップＳ５０３のＮｏ）、方式ＡのＩＣカードのようなセキュリティモジュールが接続されているか否かを判定する（ステップＳ５０５）。上述した通りコンテンツ保護方式モジュール１１１ＡはＩＣカードのようなリムーバブルのセキュリティモジュールである。このため制御部１０７は、ＩＣカードのようなセキュリティモジュールが未挿入であった場合には（ステップＳ５０５の未挿入）、例えば一定時間図６に示すような方式ＡのＩＣカードのようなセキュリティモジュールを接続することを促す通知を行う（ステップＳ５０７）。これは制御部１０７が表示処理部１０６を制御することにより実現される。
【００４０】
これによりＩＣカードのようなセキュリティモジュールが接続された場合（ステップＳ５０８のＹｅｓ）や、既にＩＣカードのようなセキュリティモジュールが接続済みであった場合（ステップＳ５０５の挿入済）には、このコンテンツ保護方式モジュール１１１ＡのＩＣカードのようなセキュリティモジュールで視聴判定を行い（ステップＳ５０６）、視聴可能であれば（ステップＳ５０６のＹｅｓ）選択したチャンネルにより放送されている番組の映像や音声を出力し（ステップＳ５０４）処理を終了する。
【００４１】
ステップＳ５０５で、一定時間以内に方式ＡのＩＣカードのようなセキュリティモジュールが接続されなかった場合（ステップＳ５０８のＮｏ）や、ステップＳ５０６での判定結果が視聴不可であった場合（ステップＳ５０６のＮｏ）、視聴不可の表示を行うよう表示処理部１０６を制御し（ステップＳ５０９）、処理を終了する。
【００４２】
なお、メッセージの通知の方法としては映像やＬＥＤ等による通知の他、音声の再生により通知してもよい。
このように複数のサイマル方式でコンテンツ保護が行われる場合、あるコンテンツが一方の方式で視聴不可の場合に、他方の方式で視聴判定させるためのメッセージを提示することにより、当該コンテンツを視聴できる可能性をユーザに提示することができる。
【００４３】
（第３の実施形態）
以下、第３の実施形態の構成は第１の実施形態と同じであるため説明を省略し、第１の実施形態と異なる部分についてのみ説明をする。
この第３の実施形態におけるデジタル放送受信装置１０１は、初期スキャン動作において方式Ｂにおける鍵情報取得に時間を要する場合に方式Ａのモジュールを接続することで、方式Ｂにおける鍵情報取得に時間を要する状況になっても任意に設定した時間でタイムアウトすることができ初期スキャン時に途方もなく時間を要するというリスクを回避するための機能を備えている。この機能は、制御部１０７が図７のフローチャートに示すようにデジタル放送受信装置１０１を制御することにより実現する。
【００４４】
デジタル放送受信装置１０１を新たに設置した場合や引っ越し等で移転した場合には、新たな設置場所で受信可能なチャンネルをすべてスキャンして設定する初期スキャン動作が制御部１０７の制御により行われる。
【００４５】
デジタル放送受信装置１０１にソフトウェアやハードウェアモジュールとして実装するコンテンツ保護方式においては、この初期スキャン時にＥＭＭの取得を行い、コンテンツ保護を行うための鍵情報を取得する。このＥＭＭの取得はタイミングによっては取得できるまでに時間を要することがあり、このような場合には図７に示すフローにより、図８に示すような表示を行う。
【００４６】
図７において、有効なチャンネルが選局できると（ステップＳ７０１）、方式Ｂの鍵情報取得を行う（ステップＳ７０２）。
有効な鍵情報が取得できれば（ステップＳ７０３のＹｅｓ）、方式Ｂでの視聴判定を行う（ステップＳ７０４）。
ステップＳ７０４で視聴可能であれば（ステップＳ７０４のＹｅｓ）、選局したチャンネルの映像や音声を出力し（ステップＳ７０５）、受信可能な全チャンネルについて行うまで繰り返す（ステップＳ７０６）。
【００４７】
もし、鍵情報が取得できない場合には（ステップＳ７０３のＮｏ）、方式Ａのモジュール接続チェックに移行する（ステップＳ７０７）。
ステップＳ７０７にてモジュールが未挿入の場合には（ステップＳ７０７のＮｏ）、表示処理部１０６を制御し、ＩＣカードのようなセキュリティモジュールを接続することを促す通知を行う（ステップＳ７０９）。この通知は表示処理部１０６を制御することにより、例えば図８に示すようなＩＣカードのようなセキュリティモジュールを接続することを促すメッセージを外部のモニタに表示させることにより行われる。
【００４８】
ステップＳ７１０で、一定時間以内に方式ＡのＩＣカードのようなセキュリティモジュールが接続されなかった場合（ステップＳ７１０のＮｏ）や、コンテンツ保護方式モジュール１１１ＡのＩＣカードのようなセキュリティモジュールで視聴判定が行われ、視聴不可であった場合（ステップＳ７０８でＮｏ）、視聴不可の表示を行うよう表示処理部１０６を制御する（ステップＳ７１１）。
【００４９】
なお、メッセージの通知の方法としては映像やＬＥＤ等による通知の他、音声の再生により通知してもよい。
このような制御を行うことにより、初期スキャン動作において方式Ｂにおける鍵情報取得に時間を要する場合に方式Ａのモジュールを接続することで、方式Ｂにおける鍵情報取得に時間を要する状況になっても任意に設定した時間でタイムアウトすることができ初期スキャン時に途方もなく時間を要するというリスクを回避することができる。
【００５０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５１】
【図１】本発明の第１の実施形態におけるデジタル放送受信装置のブロック図を示す図。
【図２】本発明の第１の実施形態におけるデジタル放送受信装置の動作フローチャートを示す図。
【図３】本発明の第１の実施形態におけるデジタル放送受信装置の画面表示例を示す図。
【図４】本発明の第１の実施形態におけるデジタル放送受信装置での表示例を示す図。
【図５】本発明の第２の実施形態におけるデジタル放送受信装置の動作フローチャートを示す図。
【図６】本発明の第２の実施形態におけるデジタル放送受信装置の画面表示例を示す図。
【図７】本発明の第３の実施形態におけるデジタル放送受信装置の動作フローチャートを示す図。
【図８】本発明の第３の実施形態におけるデジタル放送受信装置の画面表示例を示す図。
【符号の説明】
【００５２】
１０１…受信装置、１０２…チューナ部、１０３…デスクランブラ、１０４…ＴＳデコード部、１０５…映像音声デコード部、１０６…表示処理部、１０７…制御部、１０８…キー入力部、１０９…リモートコントローラ、１１１Ａ…コンテンツ保護モジュール（方式Ａ）、１１１Ｂ…コンテンツ保護モジュール（方式Ｂ）、１１２Ａ…コンテンツ保護制御部（方式Ａ）、１１２Ｂ…コンテンツ保護制御部（方式Ｂ）、１１３Ａ…コンテンツ保護メモリ部（方式Ａ）、１１３Ｂ…コンテンツ保護メモリ部（方式Ｂ）。
【図１】
2006129243.tif 000003
【図２】
2006129243.tif 000004
【図３】
2006129243.tif 000005
【図４】
2006129243.tif 000006
【図５】
2006129243.tif 000007
【図６】
2006129243.tif 000008
【図７】
2006129243.tif 000009
【図８】
2006129243.tif 000010